【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
レンズアレイの成形後において少なくとも光学機能面を含む面となる第１の素材と、
レンズアレイの成形後において少なくとも光学機能面を含む面以外の面となる素材であって透光性を有する金属、サーメット、又はセラミックスである第２の素材と、
を用いて成形して
前記第１の素材と前記第２の素材とが一体化したレンズアレイを得るレンズアレイ製造方法。
【請求項２】
レンズアレイの成形後において少なくとも光学機能面を含む面となる第１の素材と、レンズアレイの成形後において少なくとも光学機能面を含む面以外の面となる第２の素材と、を用いて成形して、前記第１の素材と前記第２の素材とが一体化したレンズアレイを得るレンズアレイ製造方法において用いられるレンズアレイ用素材であって、
前記第２の素材は、透光性を有する金属、サーメット、又はセラミックスであり、前記第１の素材が嵌入する連設孔を備えていることを特徴とするレンズアレイ用素材。
【請求項３】
前記連設孔は、レンズアレイ成形型の上下の押型のレンズ成形機能面の径よりも大きい径を備えていることを特徴とする請求項２記載のレンズアレイ用素材。
【請求項４】
前記連設孔は、円筒形状であることを特徴とする請求項２又は３記載のレンズアレイ用素材。
【請求項５】
前記連設孔は、上下の開口部の径と内壁部の径が異なって形成されていることを特徴とする請求項２又は３記載のレンズアレイ用素材。
【請求項６】
前記連設孔は、内壁面が少なくともＲａ０．０１ミクロン以上の粗さに形成されていることを特徴とする請求項４又は５記載のレンズアレイ用素材。
【請求項７】
前記第２の素材は、上下の押型内への収容時に前記上下の押型と位置決めするための位置決め部を備えていることを特徴とする請求項２記載のレンズアレイ用素材。
【請求項８】
前記位置決め部は、少なくとも２箇所に設けられた貫通孔であることを特徴とする請求項７記載のレンズアレイ用素材。
【請求項９】
前記位置決め部は、少なくとも１箇所に設けられた周囲切り欠き部であることを特徴とする請求項７記載のレンズアレイ用素材。
【請求項１０】
レンズアレイの成形後において少なくとも光学機能面を含む面となる第１の素材と、レンズアレイの成形後において少なくとも光学機能面を含む面以外の面となる第２の素材と、を用いて成形して得られる、前記第１の素材と前記第２の素材とが一体化したレンズアレイであって、
前記第２の素材は、透光性を有する金属、サーメット、又はセラミックスであり、前記第１の素材が嵌入する連設孔を備えていることを特徴とするレンズアレイ。
【請求項１１】
前記第１の素材が前記第２の素材に備えられている連設孔の内壁面に融着することによって前記第１の素材と前記第２の素材とが一体化していることを特徴とする請求項１０に記載のレンズアレイ。
【請求項１２】
前記連設孔は、レンズアレイ成形型の上下の押型のレンズ成形機能面の径よりも大きい径を備えていることを特徴とする請求項１１記載のレンズアレイ。
【請求項１３】
前記第１の素材における前記第２の素材の内壁面との融着部分の厚みが０．３ミリメートル以下であることを特徴とする請求項１２に記載のレンズアレイ。
【請求項１４】
成形後において少なくとも光学機能面を含む面となる第１の素材と、
成形後において少なくとも光学機能面を含む面以外の面となる素材であって透光性を有する金属、サーメット、又はセラミックスである第２の素材と、
を用いて成形して、
前記第１の素材と前記第２の素材とが一体化したレンズ部品を得るレンズ部品の製造方法。
【請求項１５】
成形後において少なくとも光学機能面を含む面となる第１の素材と、
成形後において少なくとも光学機能面を含む面以外の面となる第２の素材と、
を用いて成形して、
前記第１の素材と前記第２の素材とが一体化したレンズ部品を得るレンズ部品の製造方法において用いられるレンズ素材であって、
前記第２の素材は、透光性を有する金属、サーメット、又はセラミックスであり、前記第１の素材が嵌入する孔部を備えていることを特徴とするレンズ素材。
【請求項１６】
成形後において少なくとも光学機能面を含む面となる第１の素材と、
成形後において少なくとも光学機能面を含む面以外の面となる第２の素材と、
を用いて成形して得られる、前記第１の素材と前記第２の素材とが一体化したレンズ部品であって、
前記第２の素材は、透光性を有する金属、サーメット、又はセラミックスであり、前記第１の素材が嵌入する孔部を備えていることを特徴とするレンズ部品。
【手続補正２】
【補正対象書類名】明細書
【補正対象項目名】００１２
【補正方法】変更
【補正の内容】
【００１２】
先ず、請求項１記載の発明のレンズアレイ製造方法は、レンズアレイの成形後において少なくとも光学機能面を含む面となる第１の素材と、レンズアレイの成形後において少なくとも光学機能面を含む面以外の面となる素材であって透光性を有する金属、サーメット、又はセラミックスである第２の素材と、を用いて成形して上記第１の素材と上記第２の素材とが一体化したレンズアレイを得るようにする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
次に、請求項２記載の発明のレンズアレイ用素材は、レンズアレイの成形後において少なくとも光学機能面を含む面となる第１の素材と、レンズアレイの成形後において少なくとも光学機能面を含む面以外の面となる第２の素材と、を用いて成形して、上記第１の素材と上記第２の素材とが一体化したレンズアレイを得るレンズアレイ製造方法において用いられるレンズアレイ用素材であって、上記第２の素材は、透光性を有する金属、サーメット、又はセラミックスであり、上記第１の素材が嵌入する連設孔を備えて構成される。
【手続補正５】
【補正対象書類名】明細書
【補正対象項目名】００１５
【補正方法】変更
【補正の内容】
【００１５】
上記連設孔は、例えば請求項３記載のように、レンズアレイ成形型の上下の押型のレンズ成形機能面の径よりも大きい径を備えて構成され、例えば請求項４記載のように、円筒形状に形成され、また、例えば請求項５記載のように、上下の開口部の径と内壁部の径が異なって形成され、また、例えば請求項６記載のように、内壁面が少なくともＲａ０．０１ミクロン以上の粗さに形成される。
【手続補正６】
【補正対象書類名】明細書
【補正対象項目名】００１６
【補正方法】変更
【補正の内容】
【００１６】
また、上記第２の素材は、例えば請求項７記載のように、上下の押型内への収容時に上記上下の押型と位置決めするための位置決め部を備えており、この位置決め部は、例えば請求項８記載のように、少なくとも２箇所に設けられた貫通孔であり、また、例えば請求項９記載のように、少なくとも１箇所に設けられた周囲切り欠き部であるように構成される。
【手続補正７】
【補正対象書類名】明細書
【補正対象項目名】００１７
【補正方法】変更
【補正の内容】
【００１７】
次に、請求項１０に記載の発明のレンズアレイは、レンズアレイの成形後において少なくとも光学機能面を含む面となる第１の素材と、レンズアレイの成形後において少なくとも光学機能面を含む面以外の面となる第２の素材と、を用いて成形して得られる、上記第１の素材と上記第２の素材とが一体化したレンズアレイであって、上記第２の素材は、透光性を有する金属、サーメット、又はセラミックスであり、上記第１の素材が嵌入する連設孔を備えて構成される。
【手続補正８】
【補正対象書類名】明細書
【補正対象項目名】００１８
【補正方法】変更
【補正の内容】
【００１８】
ここで、上記第１の素材と上記第２の素材とは、例えば請求項１１記載のように、第１の素材が第２の素材に備えられている連設孔の内壁面に融着することによって一体化している。
ここで、上記連設孔は、例えば請求項１２記載のように、レンズアレイ成形型の上下の押型のレンズ成形機能面の径よりも大きい径を備えている。
【手続補正９】
【補正対象書類名】明細書
【補正対象項目名】００１９
【補正方法】変更
【補正の内容】
【００１９】
ここで、例えば請求項１３記載のように、上記第１の素材における上記第２の素材の内壁面との融着部分の厚みが０．３ミリメートル以下であるようにすることができる。
次に、請求項１４記載の発明のレンズ部品の製造方法は、成形後において少なくとも光学機能面を含む面となる第１の素材と、成形後において少なくとも光学機能面を含む面以外の面となる素材であって透光性を有する金属、サーメット、又はセラミックスである第２の素材と、を用いて成形して、上記第１の素材と上記第２の素材とが一体化したレンズ部品を得るようにする。
【手続補正１０】
【補正対象書類名】明細書
【補正対象項目名】００２０
【補正方法】変更
【補正の内容】
【００２０】
次に、請求項１５記載の発明のレンズ素材は、成形後において少なくとも光学機能面を含む面となる第１の素材と、成形後において少なくとも光学機能面を含む面以外の面となる第２の素材と、を用いて成形して、上記第１の素材と上記第２の素材とが一体化したレンズ部品を得るレンズ部品の製造方法において用いられるレンズ素材であって、上記第２の素材は、透光性を有する金属、サーメット、又はセラミックスであり、上記第１の素材が嵌入する孔部を備えて構成される。
【手続補正１１】
【補正対象書類名】明細書
【補正対象項目名】００２１
【補正方法】変更
【補正の内容】
【００２１】
次に、請求項１６記載の発明のレンズ素材は、成形後において少なくとも光学機能面を含む面となる第１の素材と、成形後において少なくとも光学機能面を含む面以外の面となる第２の素材と、を用いて成形して得られる、上記第１の素材と上記第２の素材とが一体化したレンズ部品であって、上記第２の素材は、透光性を有する金属、サーメット、又はセラミックスであり、上記第１の素材が嵌入する孔部を備えて構成される。